(57)【要約】【課題】  短い時間で通帳の承認を得ることができる通帳取扱装置および通帳取扱方法を提供する。【解決手段】  磁気ストライプのデュアルデータを伴う通帳４０を搬送する搬送部１２と、磁気ストライプのデュアルデータを所定の読取条件によって読み取る読取部１５と、読み取った磁気ストライプのデュアルデータの少なくとも一方が正当な磁気ストライプのデータと一致するかどうかを判断し、一致していれば通帳を正当なものと判断し、一致しなければ読取条件を変更して磁気ストライプを再度読み取った上でデュアルデータの少なくとも一方が正当なデータと一致するかどうかを再び判断する制御部３１をもつ通帳取扱装置。【選択図】図１
2011180913.tif 000002
【特許請求の範囲】
【請求項１】
磁気ストライプのデュアルデータを伴う通帳を搬送する搬送部と、
前記搬送部が搬送した前記通帳の前記磁気ストライプのデュアルデータを所定の読取条件によって読み取る読取部と、
正当な前記磁気ストライプのデータを予め記憶している記憶部と、
前記読取部が読み取った前記磁気ストライプのデュアルデータの少なくとも一方が前記記憶部に記憶されている前記正当な磁気ストライプのデータと一致するかどうかを判断し、一致していれば前記搬送された通帳を正当なものと判断し、一致しなければ前記読取部が読み取った際の前記読取条件を変更して前記読取部により前記磁気ストライプのデュアルデータを再度読み取った上で読み取った前記磁気ストライプのデュアルデータの少なくとも一方が前記記憶部に記憶されている前記正当な磁気ストライプのデータと一致するかどうかを再び判断する制御部と、を具備することを特徴とする通帳取扱装置。
【請求項２】
前記読取部の前記読取条件は、磁気ストライプのデュアルデータが所定のフォーマットで構成されているものとして読み取ることであることを特徴とする請求項１記載の通帳取扱装置。
【請求項３】
前記読取部の前記読取条件は、磁気ストライプのデュアルデータがＤＩＮのフォーマット若しくはＩＳＯのフォーマットの内の何れか一つのフォーマットで構成されているものとして読み取ることであることを特徴とする請求項１記載の通帳取扱装置。
【請求項４】
前記読取部の前記読取条件は、前記磁気ストライプのデュアルデータを所定値の記録密度で読み取ることであることを特徴とする請求項１記載の通帳取扱装置。
【請求項５】
前記制御部は、前記磁気ストライプのデュアルデータが不一致であると判断した際に、前記読取条件についてデータのフォーマットを変更して再度読み取りおよび一致の判断を行い、それでも不一致であると判断したら、前記磁気ストライプのデュアルデータの読み取り時の記録密度を変更して再度読み取りおよび一致の判断を行うことを特徴とする請求項１記載の通帳取扱装置。
【請求項６】
磁気ストライプのデュアルデータを伴う通帳を搬送し、
前記搬送部が搬送した前記通帳の前記磁気ストライプのデュアルデータを所定の読取条件によって読み取り、
正当な前記磁気ストライプのデータを予め記憶領域に記憶しておき、
前記読み取った前記磁気ストライプのデュアルデータの少なくとも一方が前記記憶領域に記憶されている前記正当な磁気ストライプのデータと一致するかどうかを判断し、一致していれば前記搬送された通帳を正当なものと判断し、
一致しなければ前記読取部が読み取った際の前記読取条件を変更して前記磁気ストライプのデュアルデータを再度読み取った上で読み取った前記磁気ストライプのデュアルデータの少なくとも一方が前記記憶部に記憶されている前記正当な磁気ストライプのデータと一致するかどうかを再び判断することを特徴とする通帳取扱方法。
【請求項７】
前記読取条件は、磁気ストライプのデュアルデータが所定のフォーマットで構成されているものとして読み取ることであることを特徴とする請求項６記載の通帳取扱方法。
【請求項８】
前記読取条件は、磁気ストライプのデュアルデータがＤＩＮのフォーマット若しくはＩＳＯのフォーマットの内の何れか一つのフォーマットで構成されているものとして読み取ることであることを特徴とする請求項６記載の通帳取扱方法。
【請求項９】
前記読取条件は、前記磁気ストライプのデュアルデータを所定値の記録密度で読み取ることであることを特徴とする請求項６記載の通帳取扱方法。
【請求項１０】
前記磁気ストライプのデュアルデータが不一致であると判断した際に、前記読取条件についてデータのフォーマットを変更して再度読み取りおよび一致の判断を行い、それでも不一致であると判断したら、前記磁気ストライプのデュアルデータの読み取り時の記録密度を変更して再度読み取りおよび一致の判断を行うことを特徴とする請求項６記載の通帳取扱方法。
【発明の詳細な説明】
【技術分野】
【０００１】
本発明は、銀行等の通帳を取り扱う通帳取扱装置に関し、特に、通帳の磁気ストライプのデュアルデータを扱う通帳取扱装置および通帳取扱方法に関する。
【背景技術】
【０００２】
従来、銀行等の預金通帳は、認証のためにストライプ状の磁気データが設けられており、通帳取扱装置は、このストライプ磁気データを読み取って通帳が正当なものかどうかの認証処理を行う。このとき、ストライプ磁気データは、読み取りが確実になされるように、二重データ（デュアルデータ）の構成となっている。
【０００３】
特許文献１は、預金通帳の磁気ストライプ状のデュアルデータを読み取って、読み取ったデュアルデータが一致しており、さらにデュアルデータが正当な値をもっているかどうかを判断する技術を開示している。
【発明の概要】
【発明が解決しようとする課題】
【０００４】
しかし、特許文献１は、必ずデュアルデータが一致していることが前提となるので、読み取り時の多少の不良があるだけでも承認されないこととなる。従って、実際は正当な通帳であっても一度で承認が得られずに繰り返し読み取り操作を行わなければならない場合が生じるため、ユーザに煩雑な操作を強いることになるという不具合がある。
【０００５】
本発明は、短い時間で通帳の承認を得ることができる通帳取扱装置および通帳取扱方法を提供することを目的とする。
【課題を解決するための手段】
【０００６】
課題を解決する一実施形態は、
磁気ストライプのデュアルデータを伴う通帳（４０）を搬送する搬送部（１２）と、
前記搬送部が搬送した前記通帳の前記磁気ストライプのデュアルデータを所定の読取条件によって読み取る読取部（１５）と、
正当な前記磁気ストライプのデータを予め記憶している記憶部（３３）と、
前記読取部が読み取った前記磁気ストライプのデュアルデータの少なくとも一方が前記記憶部に記憶されている前記正当な磁気ストライプのデータと一致するかどうかを判断し、一致していれば前記搬送された通帳を正当なものと判断し、一致しなければ前記読取部が読み取った際の前記読取条件を変更して前記読取部により前記磁気ストライプのデュアルデータを再度読み取った上で読み取った前記磁気ストライプのデュアルデータの少なくとも一方が前記記憶部に記憶されている前記磁気ストライプの正当なデータと一致するかどうかを再び判断する制御部（３１）と、
を具備することを特徴とする通帳取扱装置である。
【０００７】
また、課題を解決する他の一実施形態は、
磁気ストライプのデュアルデータを伴う通帳を搬送し、
前記搬送部が搬送した前記通帳の前記磁気ストライプのデュアルデータを所定の読取条件によって読み取り、
正当な前記磁気ストライプのデータを予め記憶領域に記憶しておき、
前記読み取った前記磁気ストライプのデュアルデータの少なくとも一方が前記記憶領域に記憶されている前記磁気ストライプの正当なデータと一致するかどうかを判断し、一致していれば前記搬送された通帳を正当なものと判断し、
一致しなければ前記読取部が読み取った際の前記読取条件を変更して前記磁気ストライプのデュアルデータを再度読み取った上で読み取った前記磁気ストライプのデュアルデータの少なくとも一方が前記記憶部に記憶されている前記磁気ストライプの正当なデータと一致するかどうかを再び判断することを特徴とする通帳取扱方法である。
【発明の効果】
【０００８】
通帳の磁気ストライプのデュアルデータの内の少なくとも一方が正当であれば、その通帳を正当なものと見なすため、片方のデータの読み込みに失敗しても再度認証を行う必要が無いので迅速に認証が得られる。また、一度で認証が得られなくとも読み取り条件を異ならせて再度データを認証するため、迅速に認証が得られる。
【図面の簡単な説明】
【０００９】
【図１】本発明の一実施形態に係る通帳取扱装置の一例を示す断面図。
【図２】同じく通帳取扱装置の電気的構成の一例を示すブロック図。
【図３】同じく通帳と磁気ストライプ領域の一例を示す説明図。
【図４】同じく通帳の磁気ストライプのデュアルデータの一例を示す説明図。
【図５】同じく通帳取扱装置の認証処理の一例を示すフローチャート。
【図６】同じく通帳取扱装置の認証処理の他の一例を示すフローチャート。
【発明を実施するための形態】
【００１０】
以下、この発明の実施の形態について図面を参照して詳細に説明する。  
すなわち、本発明の一実施形態である通帳取扱装置は、通帳の磁気ストライプ上のデータの読み取りの場合に、デュプリケーション（Duplication）が設定されているデュアルデータ構造であると、第一番目の磁気ストライプデータブロックと第二番目の磁気ストライプデータブロックが一致していていない場合に読み込みエラーとするのではなく、第一番目または第二番目のどちらかの磁気ストライプデータブロックから正当なデータを読み取ることができた場合、読み取れた磁気ストライプデータブロックをこの通帳の磁気ストライプデータとして認証の対象とすることを要旨の一つとしている。
【００１１】
また、第一番目、第二番目のどちらかの磁気ストライプデータブロックからも正当なデータを読み取ることができないならば、パラメータを変更し再度読み込みを行うことにより、エラー頻度を下げることが可能となり、短い時間で認証処理を行うことができる。
【００１２】
次に、本発明の一実施形態に係る通帳取扱装置１の構成を図１および図２を用いて説明する。本発明の一実施形態に係る通帳取扱装置１は、通帳挿入口１１と、通帳搬送用モータ１２と、通帳停止位置検出用反射型フォトセンサ１３と、ＭＳキャリア用ホームポジションセンサ１４と、ＭＳキャリア１５と、ＭＳキャリア駆動モータ１６と、キャリア用ホームポジションセンサ１７と、キャリア駆動モータ１８と、印字ヘッド１９と、印字プラテン２０からなる。
【００１３】
また、本発明の一実施形態に係る通帳取扱装置１は、電気的構成として、全体の動作の制御を行うＣＰＵ３１と、動作プログラム等を記憶するＲＯＭ３２と、動作プログラムや認証データ等を記憶するＲＡＭ３３と、認証データ等を記憶するＥＥＰＲＯＭ３４を有する。また、通帳取扱装置１は、通帳停止位置検出用反射型フォトセンサ１３と、ＭＳキャリア用ホームポジションセンサ１４と、キャリア用ホームポジションセンサ１７がそれぞれＣＰＵ３１に接続されている。また、通帳取扱装置１は、ＣＰＵ３１に接続され通帳搬送領域モータ１２を駆動するモータドライバ３５と、ＣＰＵ３１に接続されＭＳキャリア駆動モータ１６を駆動するモータドライバ３６と、ＣＰＵ３１に接続されキャリア駆動モータ１８を駆動するモータドライバ３７と、ＣＰＵ３１に接続され印字ヘッドを駆動するモータドライバ３８を有している。
【００１４】
また、本発明の一実施形態に係る通帳取扱装置１が扱う預金通帳等の例を図３に示す。通帳４０は、折り線４２を有している。また、通帳４０は、（ａ）のように磁気ストライプ４１が横方向に設けられている場合と、（ｂ）のように磁気ストライプ４１が縦方向に設けられている場合とがある。
【００１５】
また、この磁気ストライプ４１は、通帳の磁気ストライプ上のデータの読み取りの場合に、デュプリケーションが設定されているデュアルデータ構造をもっていると、通帳の磁気ストライプ上のデータは、次のようなフォーマットとなる。
【００１６】
すなわち、磁気ストライプ４１は、プリアンブル（Pre-amble）ａ、ＳＳ（Start Sentinel）領域ｂ、データ領域ｃ、ＥＳ（End Sentinel）領域ｄ、チェックデータ領域ｅ、データブロック間のゼロビット番号ｆ、第２ブロックのＳＳ（Start Sentinel）領域ｇ、第２ブロックのデータ領域ｈ、第２ブロックのＥＳ（End Sentinel）領域ｉ、第２ブロックのチェックデータ領域ｊ、ポストアンブル（Post-amble）領域ｋを有している。
【００１７】
上述したような構成をもつ通帳取扱装置１は、図５のフローチャートに示すように、以下のような手順で認証処理を行う。すなわち、ＣＰＵ３１は、通帳４０を通帳挿入口１１から取り入れると通帳搬送用モータ１２の回転によってベルトを駆動し、通帳４０の磁気ストライプ４１をＭＳキャリア用ホームポジションセンサ１４で検出した後に、ＭＳキャリア１５で磁気ストライプ４１を読み取る。
【００１８】
そして、第１のパラメータ（Ｉフォーマット）で磁気ストライプを読み取って（ステップＳ１１）、第１の磁気ストライプデータブロックが正しいか、すなわち、第１の磁気ストライプデータブロックの（１）ＳＳ（Start Sentinel）領域ｂがＲＡＭ３３に記憶されている認証データ（正当なデータ）に一致しており正しいかどうか、（２）データ領域ｃがＲＡＭ３３に記憶されている認証データ（正当なデータ）に一致しており正しいかどうか、（３）ＥＳ（End Sentinel）領域ｄがＲＡＭ３３に記憶されている認証データ（正当なデータ）に一致しており正しいかどうか、（４）チェックデータ領域ｅがＲＡＭ３３に記憶されている計算結果と一致しており正しいかどうかを確認し（ステップＳ１２）、第１の磁気ストライプデータブロックが全て正しいと判断されれば、ＣＰＵ３１は、通帳４０を正当なものと判断する（ステップＳ２４）。すなわち、本発明の一実施形態に係る通帳取扱装置１のＣＰＵ３１は、両方のブロックではなく第１の磁気ストライプデータブロックのみが正当であれば通帳を正当なものと認証するため、迅速な認証処理を行うことができる。
【００１９】
しかし、ＣＰＵ３１が第１の磁気ストライプデータブロックが必ずしも全て正しいとは判断しないのであれば、ステップＳ２４に進み、第２の磁気ストライプデータブロックが正しいか、すなわち、第２の磁気ストライプデータブロックの（１）ＳＳ（Start Sentinel）領域ｇがＲＡＭ３３に記憶されている認証データ（正当なデータ）に一致しており正しいかどうか、（２）データ領域ｈがＲＡＭ３３に記憶されている認証データ（正当なデータ）に一致しており正しいかどうか、（３）ＥＳ（End Sentinel）領域ｉがＲＡＭ３３に記憶されている認証データ（正当なデータ）に一致しており正しいかどうか、（４）チェックデータ領域ｊがＲＡＭ３３に記憶されている計算結果と一致しており正しいかどうかを確認し（ステップＳ１３）、第２の磁気ストライプデータブロックが全て正しいと判断されれば、ＣＰＵ３１は通帳４０を正当なものと判断する（ステップＳ２４）。
【００２０】
しかし、ＣＰＵ３１が、第２の磁気ストライプデータブロックが必ずしも全て正しいとは判断しないのであれば、ステップＳ２５に進み、第２のパラメータ（ＤＩＮ）で磁気ストライプを読み取って（ステップＳ１４）、第１の磁気ストライプデータブロックが正しいか、すなわち、第１の磁気ストライプデータブロックの（１）ＳＳ（Start Sentinel）領域ｂがＲＡＭ３３に記憶されている認証データ（正当なデータ）に一致しており正しいかどうか、（２）データ領域ｃがＲＡＭ３３に記憶されている認証データ（正当なデータ）に一致しており正しいかどうか、（３）ＥＳ（End Sentinel）領域ｄがＲＡＭ３３に記憶されている認証データ（正当なデータ）に一致しており正しいかどうか、（４）チェックデータ領域ｅがＲＡＭ３３に記憶されている計算結果と一致しており正しいかどうかを確認し、第１の磁気ストライプデータブロックが全て正しいと判断されれば、ＣＰＵ３１は、通帳４０を正当なものと判断する（ステップＳ２４）。
【００２１】
ＣＰＵ３１が、第１の磁気ストライプデータブロックが必ずしも全て正しいとは判断しないのであれば、第２の磁気ストライプデータブロックが正しいか、すなわち、第２の磁気ストライプデータブロックの（１）ＳＳ（Start Sentinel）領域ｇがＲＡＭ３３に記憶されている認証データ（正当なデータ）に一致しており正しいかどうか、（２）データ領域がＲＡＭ３３に記憶されている認証データ（正当なデータ）に一致しており正しいかどうか、（３）ＥＳ（End Sentinel）領域ｉがＲＡＭ３３に記憶されている認証データ（正当なデータ）に一致しており正しいかどうか、（４）チェックデータ領域ｊがＲＡＭ３３に記憶されている計算結果と一致しており正しいかどうかを確認し、第２の磁気ストライプデータブロックが全て正しいと判断されれば、ＣＰＵ３１は、通帳４０を正当なものと判断する（ステップＳ２４）。
【００２２】
しかし、ＣＰＵ３１が、第２の磁気ストライプデータブロックが必ずしも全て正しいとは判断しないのであれば、ステップＳ２５に進み、第３のパラメータ（ＩＳＯ）で磁気ストライプを読み取って（ステップＳ１７）、第１の磁気ストライプデータブロックが正しいか、すなわち、第１の磁気ストライプデータブロックの（１）ＳＳ（Start Sentinel）領域ｂがＲＡＭ３３に記憶されている認証データ（正当なデータ）に一致しており正しいかどうか、（２）データ領域ｃがＲＡＭ３３に記憶されている認証データ（正当なデータ）に一致しており正しいかどうか、（３）ＥＳ（End Sentinel）領域ｄがＲＡＭ３３に記憶されている認証データ（正当なデータ）に一致しており正しいかどうか、（４）チェックデータ領域ｅがＲＡＭ３３に記憶されている計算結果と一致しており正しいかどうかを確認し（ステップＳ１８）、第１の磁気ストライプデータブロックが全て正しいと判断されれば、ＣＰＵ３１は、通帳４０を正当なものと判断する（ステップＳ２４）。
【００２３】
ＣＰＵ３１が、第１の磁気ストライプデータブロックが必ずしも全て正しいとは判断しないのであれば、第２の磁気ストライプデータブロックが正しいか、すなわち、第２の磁気ストライプデータブロックの（１）ＳＳ（Start Sentinel）領域ｇがＲＡＭ３３に記憶されている認証データ（正当なデータ）に一致しており正しいかどうか、（２）データ領域ｈがＲＡＭ３３に記憶されている認証データ（正当なデータ）に一致しており正しいかどうか、（３）ＥＳ（End Sentinel）領域ｉがＲＡＭ３３に記憶されている認証データ（正当なデータ）に一致しており正しいかどうか、（４）チェックデータ領域ｊがＲＡＭ３３に記憶されている計算結果と一致しており正しいかどうかを確認し（ステップＳ１９）、第２の磁気ストライプデータブロックが全て正しいと判断されれば、ＣＰＵ３１は、通帳４０を正当なものと判断する（ステップＳ２４）。
【００２４】
しかし、ＣＰＵ３１が、第２の磁気ストライプデータブロックが必ずしも全て正しいとは判断しないのであれば、ステップＳ２０に進み、磁気ストライプをイニシャル値の２１０ｄｐｉから１５０ｄｐｉに変更し、すでに１５０ｄｐｉに変更済みであれば１０５ｄｐｉに変更して磁気ストライプを読み取る（ステップＳ２０）。そして、第１の磁気ストライプデータブロックが正しいか、すなわち、第１の磁気ストライプデータブロックの（１）ＳＳ（Start Sentinel）領域ｂがＲＡＭ３３に記憶されている認証データ（正当なデータ）に一致しており正しいかどうか、（２）データ領域ｃがＲＡＭ３３に記憶されている認証データ（正当なデータ）に一致しており正しいかどうか、（３）ＥＳ（End Sentinel）領域ｄがＲＡＭ３３に記憶されている認証データ（正当なデータ）に一致しており正しいかどうか、（４）チェックデータ領域ｅがＲＡＭ３３に記憶されている計算結果と一致しており正しいかどうかを確認し（ステップＳ２１）、第１の磁気ストライプデータブロックが全て正しいと判断されれば、ＣＰＵ３１は、通帳４０を正当なものと判断する（ステップＳ２４）。
【００２５】
ＣＰＵ３１が、第１の磁気ストライプデータブロックが必ずしも全て正しいとは判断しないのであれば、ステップＳ２４に進み、第２の磁気ストライプデータブロックが正しいか、すなわち、第２の磁気ストライプデータブロックの（１）ＳＳ（Start Sentinel）領域ｇがＲＡＭ３３に記憶されている認証データ（正当なデータ）に一致しており正しいかどうか、（２）データ領域ｈがＲＡＭ３３に記憶されている認証データ（正当なデータ）に一致しており正しいかどうか、（３）ＥＳ（End Sentinel）領域ｉがＲＡＭ３３に記憶されている認証データ（正当なデータ）に一致しており正しいかどうか、（４）チェックデータ領域ｊがＲＡＭ３３に記憶されている計算結果と一致しており正しいかどうかを確認し（ステップＳ２２）、第２の磁気ストライプデータブロックが全て正しいと判断されれば、ＣＰＵ３１は、通帳４０を正当なものと判断する（ステップＳ２４）。
【００２６】
しかし、ＣＰＵ３１が、第２の磁気ストライプデータブロックが必ずしも全て正しいとは判断しないのであれば、通帳は正当ではないと判断し（ステップＳ２３）、正当ではありません等のメッセージを表示する。
【００２７】
なお、ステップＳ２０で記録密度を変更した後は、それぞれのパラメータ（Ｉフォーマット、ＤＩＮ、ＩＳＯ）について、それぞれ第１ブロックデータおよび第２ブロックデータについて認証処理を行うことも可能である。
【００２８】
また、図６のフローチャートにおいては、図５では、パラメータの優先順位を、『Ｉフォーマット』、『ＤＩＮ』、『ＩＳＯ』としていたのに対して、ステップＳ１１’、ステップＳ１４’、ステップＳ１７’においては、『ＩＳＯ』、『Ｉフォーマット』、『ＤＩＮ』としてデータの正当性を判断している。また、図５では、記録密度の優先順位を『２１０ｄｐｉ』、『１５０ｄｐｉ』、『１０５ｄｐｉ』としていたのに対して、『２１０ｄｐｉ』、『１０５ｄｐｉ』、『１５０ｄｐｉ』としている。
【００２９】
図５のフローチャートおよび図６のフローチャートに示された認証処理によれば、第１のデータブロックと第２のデータブロックの少なくとも一方だけのデータの正当性が認識できれば、正当な通帳であると認証するため、迅速な認証処理が可能となる。また、データが不一致となった場合も、各パラメータおよび読み出しの記録密度を変更して自動的に認証しなおすため、結果的にユーザの手を煩わすことなく迅速な認証処理が可能となる。
【００３０】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００３１】
１１…通帳挿入口、１２…通帳搬送用モータ、１３…通帳停止位置検出用反射型フォトセンサ、１４…ＭＳキャリア用ホームポジションセンサ、１５…ＭＳキャリア、１６…ＭＳキャリア駆動モータ、１７…キャリア用ホームポジションセンサ、１８…キャリア駆動モータ、１９…印字ヘッド、２０…印字プラテン。
【先行技術文献】
【特許文献】
【００３２】
【特許文献１】特開２００１−１６７２３０号公報。
【図１】
2011180913.tif 000003
【図２】
2011180913.tif 000004
【図３】
2011180913.tif 000005
【図４】
2011180913.tif 000006
【図５】
2011180913.tif 000007
【図６】
2011180913.tif 000008